(57)【要約】  本発明はＲＬＣレイヤステータスレポート制御ＰＤＵの伝送方法を開示し、ユーザ機器はネットワーク機器が送信した構成情報を受信し、前記構成情報は少なくとも１つの制御ＰＤＵフォーマットを含むステップと、前記ユーザ機器は前記少なくとも１つの制御ＰＤＵフォーマットの中の１つの制御ＰＤＵフォーマットを選択してステータスレポート制御ＰＤＵを生成し、及び前記ステータスレポート制御ＰＤＵを報告するステップと、を含む。本発明の実施例は関連機器を更に提供する。本発明の実施例のユーザ機器を使用して報告したステータスレポート制御ＰＤＵフォーマットは多様であり、場合によって、さまざまなシナリオのニーズを満たすことができる。
2020504972.tif 000002
【特許請求の範囲】
【請求項１】
無線リンク制御（ＲＬＣ）レイヤステータスレポート制御プロトコルデータユニット（ＰＤＵ）の伝送方法であって、
ユーザ機器はネットワーク機器が送信した構成情報を受信し、前記構成情報は少なくとも１つの制御ＰＤＵフォーマットを含むステップと、
前記ユーザ機器は前記少なくとも１つの制御ＰＤＵフォーマットの中の１つの制御ＰＤＵフォーマットを選択してステータスレポート制御ＰＤＵを生成し、及び前記ステータスレポート制御ＰＤＵを報告するステップと、を含むことを特徴とする無線リンク制御（ＲＬＣ）レイヤステータスレポート制御プロトコルデータユニット（ＰＤＵ）の伝送方法。
【請求項２】
前記制御ＰＤＵフォーマットは前記ユーザ機器が受信に成功したＰＤＵの最大シーケンス番号、及び１つの誤って受信したＰＤＵのシーケンス番号範囲を含むことを特徴とする請求項１に記載の方法。
【請求項３】
前記シーケンス番号範囲は上限シーケンス番号及び下限シーケンス番号を含み、前記ユーザ機器が受信に成功したＰＤＵの最大シーケンス番号は前記上限シーケンス番号に隣接する際に、前記制御ＰＤＵフォーマットは前記ユーザ機器が受信に成功したＰＤＵの最大シーケンス番号及び前記下限シーケンス番号を含むことを特徴とする請求項２に記載の方法。
【請求項４】
前記制御ＰＤＵフォーマットは前記ユーザ機器が受信に成功したＰＤＵの最大シーケンス番号、及び複数の誤って受信したＰＤＵのシーケンス番号範囲を含むことを特徴とする請求項１に記載の方法。
【請求項５】
前記制御ＰＤＵフォーマットは前記ユーザ機器が受信に成功したＰＤＵの最大シーケンス番号、及び誤って受信した各ＰＤＵのシーケンス番号を含むことを特徴とする請求項１に記載の方法。
【請求項６】
前記ユーザ機器は前記少なくとも１つの制御ＰＤＵフォーマットの中の１つの制御ＰＤＵフォーマットを選択するのは、
前記ユーザ機器はＰＤＵを誤って受信する状況に応じて前記少なくとも１つの制御ＰＤＵフォーマットの中の１つの制御ＰＤＵフォーマットを選択することを含むことを特徴とする請求項１−５のいずれかに記載の方法。
【請求項７】
前記ユーザ機器が誤って受信したＰＤＵの数は予め設定された閾値以上である場合、或いは前記ユーザ機器が誤って受信したＰＤＵの数は前記予め設定された閾値より以上であり、且つ誤って受信したＰＤＵの番号は連続する場合、前記その中の１つの制御ＰＤＵフォーマットは前記ユーザ機器が受信に成功したＰＤＵの最大シーケンス番号、及び一つの誤って受信したＰＤＵのシーケンス番号範囲を含むことを特徴とする請求項６に記載の方法。
【請求項８】
前記ユーザ機器が誤って受信したＰＤＵの数は前記予め設定された閾値以上であり、且つ誤って受信したＰＤＵの番号は連続しない場合、前記その中の１つの制御ＰＤＵフォーマットは前記ユーザ機器が受信に成功したＰＤＵの最大シーケンス番号、及び複数の誤って受信したＰＤＵのシーケンス番号範囲を含むことを特徴とする請求項６に記載の方法。
【請求項９】
前記ユーザ機器が誤って受信したＰＤＵの数は前記予め設定された閾値より小さい場合、前記その中の１つの制御ＰＤＵフォーマットは前記ユーザ機器が受信に成功したＰＤＵの最大シーケンス番号、及び誤って受信した各ＰＤＵのシーケンス番号を含むことを特徴とする請求項６に記載の方法。
【請求項１０】
前記構成情報は前記少なくとも１つの制御ＰＤＵフォーマットの第１使用構成を更に含み、前記ユーザ機器は前記少なくとも１つの制御ＰＤＵフォーマットの中の１つの制御ＰＤＵフォーマットを選択するのは、
前記ユーザ機器は前記少なくとも１つの制御ＰＤＵフォーマットの第１使用構成に基づき、前記少なくとも１つの制御ＰＤＵフォーマットの中の１つの制御ＰＤＵフォーマットを選択することを含むことを特徴とする請求項１−９のいずれかに記載の方法。
【請求項１１】
前記方法は、
前記ユーザ機器は前記ネットワーク機器が送信した指示情報を受信し、前記指示情報は前記少なくとも１つの制御ＰＤＵフォーマットの第２使用構成を含むステップと、
前記ユーザ機器は前記少なくとも１つの制御ＰＤＵフォーマットの第２使用構成に基づき、前記少なくとも１つの制御ＰＤＵフォーマットの中の１つの制御ＰＤＵフォーマットを選択するステップと、を更に含むことを特徴とする請求項１−９のいずれかに記載の方法。
【請求項１２】
無線リンク制御（ＲＬＣ）レイヤステータスレポート制御プロトコルデータユニット（ＰＤＵ）の伝送方法であって、
ネットワーク機器は構成情報を生成し、前記構成情報は少なくとも１つの制御ＰＤＵフォーマットを含むステップと、
前記ネットワーク機器はユーザ機器へ前記構成情報を送信するステップと、
前記ネットワーク機器は前記ユーザ機器が報告したステータスレポート制御ＰＤＵを受信し、前記ステータスレポート制御ＰＤＵは前記ユーザ機器が前記少なくとも１つの制御ＰＤＵフォーマットの中の１つの制御ＰＤＵフォーマットを選択して生成されたものであるステップと、を含むことを特徴とする無線リンク制御（ＲＬＣ）レイヤステータスレポート制御プロトコルデータユニット（ＰＤＵ）の伝送方法。
【請求項１３】
前記制御ＰＤＵフォーマットは前記ユーザ機器が受信に成功したＰＤＵの最大シーケンス番号、及び一つの誤って受信したＰＤＵのシーケンス番号範囲を含むことを特徴とする請求項１２に記載の方法。
【請求項１４】
前記シーケンス番号範囲は上限シーケンス番号及び下限シーケンス番号を含み、前記ユーザ機器が受信に成功したＰＤＵの最大シーケンス番号は前記上限シーケンス番号に隣接する際に、前記制御ＰＤＵフォーマットは前記ユーザ機器が受信に成功したＰＤＵの最大シーケンス番号及び前記下限シーケンス番号を含むことを特徴とする請求項１３に記載の方法。
【請求項１５】
前記制御ＰＤＵフォーマットは前記ユーザ機器が受信に成功したＰＤＵの最大シーケンス番号、及び複数の誤って受信したＰＤＵのシーケンス番号範囲を含むことを特徴とする請求項１２に記載の方法。
【請求項１６】
前記制御ＰＤＵフォーマットは前記ユーザ機器が受信に成功したＰＤＵの最大シーケンス番号、及び誤って受信した各ＰＤＵのシーケンス番号を含むことを特徴とする請求項１２に記載の方法。
【請求項１７】
前記構成情報は前記少なくとも１つの制御ＰＤＵフォーマットの第１使用構成を更に含み、前記第１使用構成は前記ユーザ機器が前記少なくとも１つの制御ＰＤＵフォーマットの中の１つの制御ＰＤＵフォーマットを選択することに用いられることを特徴とする請求項１２−１６のいずれかに記載の方法。
【請求項１８】
前記方法は、
前記ネットワーク機器は前記ユーザ機器へ指示情報を送信し、前記指示情報は前記少なくとも１つの制御ＰＤＵフォーマットの第２使用構成を含み、前記第２使用構成は前記ユーザ機器が前記少なくとも１つの制御ＰＤＵフォーマットの中の１つの制御ＰＤＵフォーマットを選択することに用いられるステップを更に含むことを特徴とする請求項１２−１６のいずれかに記載の方法。
【請求項１９】
ユーザ機器であって、
ネットワーク機器が送信した構成情報を受信することに用いられ、前記構成情報は少なくとも１つの制御ＰＤＵフォーマットを含む受信モジュールと、
前記少なくとも１つの制御ＰＤＵフォーマットの中の１つの制御ＰＤＵフォーマットを選択してステータスレポート制御ＰＤＵを生成するための処理モジュールと、
前記ステータスレポート制御ＰＤＵを報告するための送信モジュールと、を備えることを特徴とするユーザ機器。
【請求項２０】
前記制御ＰＤＵフォーマットは前記ユーザ機器が受信に成功したＰＤＵの最大シーケンス番号、及び一つの誤って受信したＰＤＵのシーケンス番号範囲を含むことを特徴とする請求項１９に記載のユーザ機器。
【請求項２１】
前記シーケンス番号範囲は上限シーケンス番号及び下限シーケンス番号を含み、前記ユーザ機器が受信に成功したＰＤＵの最大シーケンス番号は前記上限シーケンス番号に隣接する際に、前記制御ＰＤＵフォーマットは前記ユーザ機器が受信に成功したＰＤＵの最大シーケンス番号及び前記下限シーケンス番号を含むことを特徴とする請求項２０に記載のユーザ機器。
【請求項２２】
前記制御ＰＤＵフォーマットは前記ユーザ機器が受信に成功したＰＤＵの最大シーケンス番号、及び複数の誤って受信したＰＤＵのシーケンス番号範囲を含むことを特徴とする請求項１９に記載のユーザ機器。
【請求項２３】
前記制御ＰＤＵフォーマットは前記ユーザ機器が受信に成功したＰＤＵの最大シーケンス番号、及び誤って受信した各ＰＤＵのシーケンス番号を含むことを特徴とする請求項１９に記載のユーザ機器。
【請求項２４】
前記処理モジュールは、具体的に、
ＰＤＵを誤って受信する状況に応じて前記少なくとも１つの制御ＰＤＵフォーマットの中の１つの制御ＰＤＵフォーマットを選択することに用いられることを特徴とする請求項１９−２３のいずれかに記載のユーザ機器。
【請求項２５】
前記ユーザ機器が誤って受信したＰＤＵの数は予め設定された閾値以上である場合、或いは前記ユーザ機器が誤って受信したＰＤＵの数は前記予め設定された閾値以上であり、且つ誤って受信したＰＤＵの番号は連続する場合、前記その中の１つの制御ＰＤＵフォーマットは前記ユーザ機器が受信に成功したＰＤＵの最大シーケンス番号、及び一つの誤って受信したＰＤＵのシーケンス番号範囲を含むことを特徴とする請求項２４に記載のユーザ機器。
【請求項２６】
前記ユーザ機器が誤って受信したＰＤＵの数は前記予め設定された閾値以上であり、且つ誤って受信したＰＤＵの番号は連続しない場合、前記その中の１つの制御ＰＤＵフォーマットは前記ユーザ機器が受信に成功したＰＤＵの最大シーケンス番号、及び複数の誤って受信したＰＤＵのシーケンス番号範囲を含むことを特徴とする請求項２４に記載のユーザ機器。
【請求項２７】
前記ユーザ機器が誤って受信したＰＤＵの数は前記予め設定された閾値より小さい場合、前記その中の１つの制御ＰＤＵフォーマットは前記ユーザ機器が受信に成功したＰＤＵの最大シーケンス番号、及び誤って受信した各ＰＤＵのシーケンス番号を含むことを特徴とする請求項２４に記載のユーザ機器。
【請求項２８】
前記構成情報は前記少なくとも１つの制御ＰＤＵフォーマットの第１使用構成を更に含み、前記処理モジュールは、具体的に、
前記少なくとも１つの制御ＰＤＵフォーマットの第１使用構成に基づき、前記少なくとも１つの制御ＰＤＵフォーマットの中の１つの制御ＰＤＵフォーマットを選択することに用いられることを特徴とする請求項１９−２７のいずれかに記載のユーザ機器。
【請求項２９】
前記受信モジュール、更に前記ネットワーク機器が送信した指示情報を受信することに用いられ、前記指示情報は前記少なくとも１つの制御ＰＤＵフォーマットの第２使用構成を含み、
前記処理モジュールは、具体的に、前記少なくとも１つの制御ＰＤＵフォーマットの第２使用構成に基づき、前記少なくとも１つの制御ＰＤＵフォーマットの中の１つの制御ＰＤＵフォーマットを選択することに用いられることを特徴とする請求項１９−２７のいずれかに記載のユーザ機器。
【請求項３０】
ネットワーク機器であって、
構成情報を生成することに用いられ、前記構成情報は少なくとも１つの制御ＰＤＵフォーマットを含む処理モジュールと、
ユーザ機器へ前記構成情報を送信するための送信モジュールと、
前記ユーザ機器が報告したステータスレポート制御ＰＤＵを受信することに用いられ、前記ステータスレポート制御ＰＤＵは前記ユーザ機器が前記少なくとも１つの制御ＰＤＵフォーマットの中の１つの制御ＰＤＵフォーマットを選択して生成されたものである受信モジュールと、を備えることを特徴とするネットワーク機器。
【請求項３１】
前記制御ＰＤＵフォーマットは前記ユーザ機器が受信に成功したＰＤＵの最大シーケンス番号、及び一つの誤って受信したＰＤＵのシーケンス番号範囲を含むことを特徴とする請求項３０に記載のネットワーク機器。
【請求項３２】
前記シーケンス番号範囲は上限シーケンス番号及び下限シーケンス番号を含み、前記ユーザ機器が受信に成功したＰＤＵの最大シーケンス番号は前記上限シーケンス番号に隣接する際に、前記制御ＰＤＵフォーマットは前記ユーザ機器が受信に成功したＰＤＵの最大シーケンス番号及び前記下限シーケンス番号を含むことを特徴とする請求項３１に記載のネットワーク機器。
【請求項３３】
前記制御ＰＤＵフォーマットは前記ユーザ機器が受信に成功したＰＤＵの最大シーケンス番号、及び複数の誤って受信したＰＤＵのシーケンス番号範囲を含むことを特徴とする請求項３０に記載のネットワーク機器。
【請求項３４】
前記制御ＰＤＵフォーマットは前記ユーザ機器が受信に成功したＰＤＵの最大シーケンス番号、及び誤って受信した各ＰＤＵのシーケンス番号を含むことを特徴とする請求項３０に記載のネットワーク機器。
【請求項３５】
前記構成情報は前記少なくとも１つの制御ＰＤＵフォーマットの第１使用構成を更に含み、前記第１使用構成は前記ユーザ機器が前記少なくとも１つの制御ＰＤＵフォーマットの中の１つの制御ＰＤＵフォーマットを選択することに用いられることを特徴とする請求項３０−３４のいずれかに記載のネットワーク機器。
【請求項３６】
前記送信モジュール、更に前記ユーザ機器へ指示情報を送信することに用いられ、前記指示情報は前記少なくとも１つの制御ＰＤＵフォーマットの第２使用構成を含み、前記第２使用構成は前記ユーザ機器が前記少なくとも１つの制御ＰＤＵフォーマットの中の１つの制御ＰＤＵフォーマットを選択することに用いられることを特徴とする請求項３０−３４のいずれかに記載のネットワーク機器。
【請求項３７】
ユーザ機器であって、プロセッサー、メモリ、トランシーバー及びバスを備え、
前記プロセッサーは前記バスによって前記メモリ及び前記トランシーバーに接続され、及び互いの間の通信を完成し、
前記メモリに実行可能プログラム命令が記憶され、前記プロセッサーは前記メモリにおける実行可能なプログラムコードを呼出し、請求項１〜１１のいずれかに記載の方法を実行することに用いられることを特徴とするユーザ機器。
【請求項３８】
ネットワーク機器であって、プロセッサー、メモリ、トランシーバー及びバスを備え、
前記プロセッサーは前記バスによって前記メモリ及び前記トランシーバーに接続され、及び互いの間の通信を完成し、
前記メモリに実行可能プログラム命令が記憶され、前記プロセッサーは前記メモリにおける実行可能なプログラムコードを呼出し、請求項１２〜１８のいずれかに記載の方法を実行することに用いられることを特徴とするネットワーク機器。
【発明の詳細な説明】
【技術分野】
【０００１】
本発明は通信技術分野に関し、特にＲＬＣレイヤステータスレポート制御ＰＤＵの伝送方法及び関連機器に関する。
【背景技術】
【０００２】
従来の無線リンク制御（Ｒａｄｉｏ  Ｌｉｎｋ  Ｃｏｎｔｒｏｌ、ＲＬＣ）再送信フィードバックメカニズムにおいて、ＲＬＣはプロトコルデータユニット（Ｐｒｏｔｏｃｏｌ  Ｄａｔａ  Ｕｎｉｔ、ＰＤＵ）を伝送する際に各ＰＤＵのために１つのシーケンス番号（ｓｅｑｕｅｎｃｅ  ｎｕｍｂｅｒ）をそれぞれ設定し、送信側は設定したシーケンス番号に従ってＰＤＵを送信する。その後、受信側はＰＤＵステータスレポート（ｓｔａｔｕｓ  ｒｅｐｏｒｔ  ＰＤＵ）によって送信側へ受信側のＰＤＵ受信状態をフィードバックする。送信側はＰＤＵステータスレポートに基づきどれらのＰＤＵを再送信するのを決定する。
【０００３】
ＬＴＥ  ＲＬＣプロトコルに従って、受信側はフィードバックしたステータスレポートＰＤＵにおいて受信側が現在受信に成功したＰＤＵの最大シーケンス番号、及び受信に成功していない各ＰＤＵのシーケンス番号を含む。これから見ると、現在受信側がフィードバックしたステータスレポートＰＤＵ、フォーマットは単一で、柔軟性がなく、場合によって、さまざまなシナリオのニーズを満たすことが困難である。
【発明の概要】
【課題を解決するための手段】
【０００４】
本発明の実施例はＲＬＣレイヤステータスレポート制御ＰＤＵの伝送方法及び関連機器を提供し、ユーザ機器が報告したステータスレポート制御ＰＤＵフォーマットは多様であり、場合によって、さまざまなシナリオのニーズを満たすことができる。
【０００５】
第１態様によれば、本発明の実施例はＲＬＣレイヤステータスレポート制御ＰＤＵの伝送方法を提供し、
ユーザ機器はネットワーク機器が送信した構成情報を受信し、前記構成情報は少なくとも１つの制御ＰＤＵフォーマットを含むステップと、
前記ユーザ機器は前記少なくとも１つの制御ＰＤＵフォーマットの中の１つの制御ＰＤＵフォーマットを選択してステータスレポート制御ＰＤＵを生成し、及び前記ステータスレポート制御ＰＤＵを報告するステップと、を含む。
【０００６】
第２態様によれば、本発明の実施例はＲＬＣレイヤステータスレポート制御ＰＤＵの伝送方法を提供し、
ネットワーク機器は構成情報を生成し、前記構成情報は少なくとも１つの制御ＰＤＵフォーマットを含むステップと、
ネットワーク機器はユーザ機器へ前記構成情報を送信するステップと、
前記ネットワーク機器は前記ユーザ機器が報告したステータスレポート制御ＰＤＵを受信し、前記ステータスレポート制御ＰＤＵは前記ユーザ機器が前記少なくとも１つの制御ＰＤＵフォーマットの中の１つの制御ＰＤＵフォーマットを選択して生成されたものであるステップと、を含む。
【０００７】
第３態様によれば、本発明の実施例はユーザ機器を提供し、
ネットワーク機器が送信した構成情報を受信することに用いられ、前記構成情報は少なくとも１つの制御ＰＤＵフォーマットを含む受信モジュールと、
前記少なくとも１つの制御ＰＤＵフォーマットの中の１つの制御ＰＤＵフォーマットを選択してステータスレポート制御ＰＤＵを生成するための処理モジュールと、
前記ステータスレポート制御ＰＤＵを報告するための送信モジュールと、を備える。
【０００８】
第４態様によれば、本発明の実施例はユーザ機器を提供し、
構成情報を生成することに用いられ、前記構成情報は少なくとも１つの制御ＰＤＵフォーマットを含む処理モジュールと、
ユーザ機器へ前記構成情報を送信するための送信モジュールと、
前記ユーザ機器が報告したステータスレポート制御ＰＤＵを受信することに用いられ、前記ステータスレポート制御ＰＤＵは前記ユーザ機器が前記少なくとも１つの制御ＰＤＵフォーマットの中の１つの制御ＰＤＵフォーマットを選択して生成されたものである受信モジュールと、を備える。
【０００９】
第５態様によれば、本発明の実施例はユーザ機器を提供し、プロセッサー、メモリ、トランシーバー及びバスを備え、
前記プロセッサーは前記バスによって前記メモリ及び前記トランシーバーに接続され、及び互いの間の通信を完成し、
前記メモリに実行可能プログラム命令が記憶され、前記プロセッサーは前記メモリにおける実行可能なプログラムコードを呼出し、本発明の実施例における第１態様のような方法を実行することに用いられる。
第６態様によれば、本発明の実施例はユーザ機器を提供し、プロセッサー、メモリ、トランシーバー及びバスを備え、
前記プロセッサーは前記バスによって前記メモリ及び前記トランシーバーに接続され、及び互いの間の通信を完成し、
前記メモリに実行可能プログラム命令が記憶され、前記プロセッサーは前記メモリにおける実行可能なプログラムコードを呼出し、本発明の実施例における第２態様のような方法を実行することに用いられる。
【００１０】
第７態様によれば、本発明はコンピュータ記憶媒体を提供し、本発明の実施例における第５態様で提供したユーザ機器に用いられるコンピュータソフトウェア命令を記憶することに用いられ、本発明の実施例における第１態様を実行するために設計されたプログラムを含む。
【００１１】
第８態様によれば、本発明はコンピュータ記憶媒体を提供し、本発明の実施例における第６態様で提供したユーザ機器に用いられるコンピュータソフトウェア命令を記憶することに用いられ、本発明の実施例における第２態様を実行するために設計されたプログラムを含む。
【００１２】
第９態様によれば、本発明の実施例は通信システムを提供し、該通信システムは本発明の実施例における第３態様に記載のユーザ機器及び本発明の実施例における第４態様に記載のネットワーク機器を備え、或いは、該通信システムは本発明の実施例における第５態様に記載のユーザ機器及び本発明の実施例における第６態様に記載のネットワーク機器を備える。
【００１３】
本発明による手段によれば、ネットワーク機器はユーザ機器のために少なくとも１つの制御ＰＤＵフォーマットを設定し、ユーザ機器が前記少なくとも１つの制御ＰＤＵフォーマットから１つの制御ＰＤＵフォーマットを選択してステータスレポート制御ＰＤＵを生成し、従来の技術と比べて、ユーザ機器が生成したステータスレポート制御ＰＤＵフォーマットは多様であり、場合によって、さまざまなシナリオのニーズを満たすことができる。
【００１４】
本発明のこれらの態様又はその他の態様は以下の実施例の説明においてより明らかで分かりやすい。
【図面の簡単な説明】
【００１５】
本発明の実施例又は従来技術における技術的解決手段をより明確的に説明するために、以下、本発明の実施例又は従来技術に使用される必要がある図面を簡単に説明し、明らかに、以下で説明する図面はただ本発明のいくつかの実施例だけであり、当業者にとって、創造的な労力を払わない前提で、更にこれらの図面に基づいてその他の図面を取得することができる。
【００１６】
【図１】図１は本発明の実施例によるネットワークアーキテクチャを示す模式図である。
【図２】図２は本発明の実施例によるＲＬＣレイヤステータスレポート制御ＰＤＵの伝送方法を示すフロー模式図である。
【図３】図３は本発明の実施例による制御ＰＤＵフォーマットを示す模式図である。
【図４】図４は本発明の実施例による例の模式図である。
【図５】図５は本発明の実施例による他の制御ＰＤＵフォーマットを示す模式図である。
【図６】図６は本発明の実施例による更なる制御ＰＤＵフォーマットを示す模式図である。
【図７】図７は本発明の実施例による更なる制御ＰＤＵフォーマットを示す模式図である。
【図８】図８は本発明の実施例によるユーザ機器を示す構造模式図である。
【図９】図９は本発明の実施例によるネットワーク機器を示す構造模式図である。
【図１０】図１０は本発明の実施例による他のユーザ機器を示す構造模式図である。
【図１１】図１１は本発明の実施例による他のネットワーク機器を示す構造模式図である。
【発明を実施するための形態】
【００１７】
当業者に本発明の手段をより理解させるために、以下、本発明の実施例における図面を参照して、本発明の実施例における技術的解決手段を、明確且つ完全に説明し、明らかに説明された実施例は全部の実施例ではなく、本発明の一部の実施例だけである。本発明における実施例に基づいて、当業者は創造的な労働なしに得られたすべての他の実施例は、いずれも本発明が保護する範囲に属する。
【００１８】
以下でそれぞれ詳細的に説明する。
【００１９】
本発明の明細書、特許請求の範囲及び前記図面における用語「第１」、「第２」、「第３」及び「第４」等は特定の順序を説明するためのものではなく、異なる対象を区別するためのものである。なお、用語「含む」、「有する」及びそれらの任意の変形は、非排他的包含を含むことを意図する。例えば一連のステップ又はユニットを含む過程、方法、システム、製品又は機器は、挙げられたステップ又はユニットに限られず、選択的に挙げられないステップ又はユニットを含み、或いは選択的にこれらの過程、方法、製品又は機器に固有の他のステップ又はユニットを更に含む。
【００２０】
本文に言及した「実施例」は、実施例を組み合わせて説明した特定の特徴、構造又は特性が本発明の少なくとも１つの実施例に含まれることができることを意味する。明細書の様々な箇所における句の出現は、必ずしも同じ実施形態を意味するわけではなく、互いに排他的な独立的なまたは代替的な実施例ではない。本明細書に記載の実施形態を他の実施形態と組み合わせることができることは、当業者には明白にそして黙示的に理解されている。
【００２１】
以下で、本出願における一部の用語を解釈して説明し、当業者に容易に理解させる。
【００２２】
１）、ユーザ機器（Ｕｓｅｒ  Ｅｑｕｉｐｍｅｎｔ、ＵＥ）は、ユーザへ音声及び／又はデータ接続を提供する機器、例えば、無線接続機能を有するハンドヘルド機器、車載機器等を指す。よく見られた端末は例えば携帯電話、パネルコンピュータ、ラップトップ、ポケットコンピュータ、モバイルインターネット機器（ｍｏｂｉｌｅ  ｉｎｔｅｒｎｅｔ  ｄｅｖｉｃｅ、ＭＩＤ）、ウェアラブル機器例えばスマートウォッチ、スマートブレスレット、歩数計等である。
【００２３】
２）、ネットワーク機器とはネットワーク側のノード機器を指し、例えば、ネットワーク機器はセルラーネットワークにおけるアクセスネットワーク側の無線アクセスネットワーク（Ｒａｄｉｏ  Ａｃｃｅｓｓ  Ｎｅｔｗｏｒｋ、ＲＡＮ）機器であってもよく、所謂ＲＡＮ機器は端末を無線ネットワークにアクセスする機器であり、進化型ノードＢ（ｅｖｏｌｖｅｄ  Ｎｏｄｅ  Ｂ、ｅＮＢ）、無線ネットワークコントローラー（ｒａｄｉｏ  ｎｅｔｗｏｒｋ  ｃｏｎｔｒｏｌｌｅｒ、ＲＮＣ）、ノードＢ（Ｎｏｄｅ  Ｂ、ＮＢ）、基地局コントローラー（Ｂａｓｅ  Ｓｔａｔｉｏｎ  Ｃｏｎｔｒｏｌｌｅｒ、ＢＳＣ）、基地局トランシーバー（Ｂａｓｅ  Ｔｒａｎｓｃｅｉｖｅｒ  Ｓｔａｔｉｏｎ、  ＢＴＳ）、ホーム基地局（例えば、Ｈｏｍｅ  ｅｖｏｌｖｅｄ  ＮｏｄｅＢ、又はＨｏｍｅ  Ｎｏｄｅ  Ｂ、ＨＮＢ）、ベースバンドユニット（ＢａｓｅＢａｎｄ  Ｕｎｉｔ、ＢＢＵ）を含むが、これらに制限されなく、また例えば、ネットワーク機器は無線ローカルエリアネットワーク（Ｗｉｒｅｌｅｓｓ  Ｌｏｃａｌ  Ａｒｅａ  Ｎｅｔｗｏｒｋ、ＷＬＡＮ）におけるノード機器、例えばアクセスコントローラー（ａｃｃｅｓｓ  ｃｏｎｔｒｏｌｌｅｒ、ＡＣ）、ゲートウェイ、又はＷＩＦＩアクセスポイント（Ａｃｃｅｓｓ  Ｐｏｉｎｔ、ＡＰ）等であってもよい。
【００２４】
４）、プロトコルデータユニット（ＰＤＵ）とは、階層ネットワーク構造、例えばオープンシステム相互接続モデルにおいて、２つの機器のピア階層の間のプロトコル交換情報を指す。
【００２５】
５）、「複数」とは２つ又は２つ以上を指す。「及び／又は」は、関連対象の関連関係を説明し、例えば、Ａ及び／又はＢ、３つの関係があり得ることを示し、単独にＡが存在し、同時にＡとＢが存在し、単独にＢが存在するという三種の場合を示すことができる。キャラクター「／」は、一般的に前後関連対象が「又は」の関係であることを示す。
【００２６】
以下、図面を組み合わせて本出願の実施例を説明する。
【００２７】
図１を参照して、図１は本発明の実施例によるネットワークアーキテクチャを示す模式図である。図１に示すネットワークアーキテクチャはネットワーク機器１１０及びユーザ機器１２０を備える。ネットワーク機器１１０は構成情報を生成し、次にこの構成情報をユーザ機器１２０に送信し、この構成情報は少なくとも１つの制御ＰＤＵフォーマットを含み、ユーザ機器１２０はこの構成情報を受信した後に、この構成情報に含まれる少なくとも１つの制御ＰＤＵフォーマットの中の１つの制御ＰＤＵフォーマットを選択してステータスレポート制御ＰＤＵを生成し、最終的にユーザ機器１２０は生成したステータスレポート制御ＰＤＵを報告する。これから見ると、本発明による手段において、少なくとも１つの制御ＰＤＵフォーマットはネットワーク機器１１０がユーザ機器１２０のために設定したものであり、従来の技術と比べて、本手段のユーザ機器１２０はネットワーク機器１１０が設定した少なくとも１つの制御ＰＤＵフォーマットに基づいてステータスレポート制御ＰＤＵを生成し、ユーザ機器が生成したステータスレポート制御ＰＤＵフォーマットは多様であり、場合によって、さまざまなシナリオのニーズを満たすことができる。
【００２８】
以下、図１に示すネットワークアーキテクチャを組み合わせて本発明の実施例によるＲＬＣレイヤステータスレポート制御ＰＤＵの伝送方法を詳細的に説明する。
【００２９】
図２を参照して、図２は本発明の実施例によるＲＬＣレイヤステータスレポート制御ＰＤＵの伝送方法を示すフロー模式図であり、以下のステップＳ２０１〜Ｓ２０４を含む。
Ｓ２０１、ネットワーク機器は構成情報を生成し、前記構成情報は少なくとも１つの制御ＰＤＵフォーマットを含む。
【００３０】
Ｓ２０２、ネットワーク機器はユーザ機器へ前記構成情報を送信する。
【００３１】
Ｓ２０３、前記ユーザ機器は前記ネットワーク機器が送信した前記構成情報を受信し、及び前記少なくとも１つの制御ＰＤＵフォーマットの中の１つの制御ＰＤＵフォーマットを選択してステータスレポート制御ＰＤＵを生成する。
【００３２】
Ｓ２０４、前記ユーザ機器は前記ステータスレポート制御ＰＤＵを報告し、前記ネットワーク機器は前記ユーザ機器が報告した前記ステータスレポート制御ＰＤＵを受信する。
【００３３】
ステータスレポート制御ＰＤＵに対応する英語はｓｔａｔｕｓ  ｒｅｐｏｒｔ  ＰＤＵであり、一般的にｓｔａｔｕｓ  ｒｅｐｏｒｔ  ＰＤＵの中国語名前は
2020504972.tif 000003
であるが、本手段はＲＬＣ層に適用するため、ｓｔａｔｕｓ  ｒｅｐｏｒｔ  ＰＤＵの中国語名前は
2020504972.tif 000004
であり、本特許においてステータスレポート制御ＰＤＵと略称する。ｓｔａｔｕｓ  ｒｅｐｏｒｔ  ＰＤＵ  ｆｏｒｍａｔは
2020504972.tif 000005
と直訳するが、本手段はＲＬＣ層に適用するため、ｓｔａｔｕｓ  ｒｅｐｏｒｔ  ＰＤＵ  ｆｏｒｍａｔの中国語名前は
2020504972.tif 000006
であり、そのほか、ｓｔａｔｕｓ  ｒｅｐｏｒｔ  ＰＤＵは制御プロトコルデータユニットに属するため、本特許において制御ＰＤＵフォーマットでｓｔａｔｕｓ  ｒｅｐｏｒｔ  ＰＤＵ  ｆｏｒｍａｔを示す。
【００３４】
本発明による手段によれば、ネットワーク機器はユーザ機器のために少なくとも１つの制御ＰＤＵフォーマットを設定し、ユーザ機器が前記少なくとも１つの制御ＰＤＵフォーマットから１つの制御ＰＤＵフォーマットを選択してステータスレポート制御ＰＤＵを生成し、従来の技術と比べて、ユーザ機器が生成したステータスレポート制御ＰＤＵフォーマットは多様であり、場合によって、さまざまなシナリオのニーズを満たすことができる。
【００３５】
一実施例において、前記制御ＰＤＵフォーマットは前記ユーザ機器が受信に成功したＰＤＵの最大シーケンス番号、及び１つの誤って受信したＰＤＵのシーケンス番号範囲を含む。
【００３６】
制御ＰＤＵフォーマットはユーザ機器が受信に成功したＰＤＵの最大シーケンス番号、及び１つの誤って受信したＰＤＵのシーケンス番号範囲を含み、報告したステータスレポート制御ＰＤＵはユーザ機器が受信に成功したＰＤＵの最大シーケンス番号、及び１つの誤って受信したＰＤＵのシーケンス番号範囲を含む。
【００３７】
図３を参照して、図３は本発明の実施例による制御ＰＤＵフォーマットを示す模式図である。図３は制御ＰＤＵフォーマットがユーザ機器の受信に成功したＰＤＵの最大シーケンス番号、及び１つの誤って受信したＰＤＵのシーケンス番号範囲を含む例の図である。ＡＣＫ＿ＳＮはユーザ機器が受信に成功したＰＤＵの最大シーケンス番号を示し、ＮＡＣＫ＿ＳＮ＿ＬＯＷ及びＮＡＣＫ＿ＳＮ＿ＨＩＧＨはユーザ機器が誤って受信したＰＤＵ的シーケンス番号範囲の下限シーケンス番号及び上限シーケンス番号をそれぞれ示す。
【００３８】
例えば、図４に示すように、ネットワーク機器は既にシーケンス番号がｎ−２、ｎ−１〜ｎ＋３のＰＤＵを送信し、ユーザ機器が受信したＰＤＵのシーケンス番号はｎ＋３、ｎ−２、ｎ−１である。ユーザ機器側には、受信されていないＰＤＵのシーケンス番号はｎ〜ｎ＋２であることを発見し、そしてユーザ機器はネットワーク機器へステータスレポート制御ＰＤＵを報告してユーザ機器に受信に成功していないＰＤＵシーケンス番号を知らせる。この例において、従来の技術はＬＴＥ  ＲＬＣプロトコルに従って、ユーザ機器が報告したステータスレポート制御ＰＤＵに現在受信に成功した最大シーケンス番号、及び各受信に成功していないＰＤＵのシーケンス番号を含み、即ちステータスレポート制御ＰＤＵにシーケンス番号ｎ＋３、及び受信に成功していないシーケンス番号ｎ、ｎ＋１及びｎ＋２を含む。これから見ると、ユーザ機器が報告したステータスレポート制御ＰＤＵは受信に成功していない各ＰＤＵのシーケンス番号を含む必要があり、オーバーヘッドが大きい。
【００３９】
図４に示す例において、本手段を採用して、ユーザ機器が報告したステータスレポート制御ＰＤＵはシーケンス番号ｎ＋３、シーケンス番号ｎ及びシーケンス番号ｎ＋２だけを含まればよい。これから見ると、大量のPDUに再送信を指示する必要がある場合、受信側は、各再送信ＰＤＵのシーケンス番号をフィードバックする必要せずに、ＰＤＵ再送信パッケージのシーケンス番号範囲のみをフィードバックし、ＲＬＣ層のフィードバックオーバーヘッドを大幅に低減させることができる。
【００４０】
更に、前記シーケンス番号範囲は上限シーケンス番号及び下限シーケンス番号を含み、前記ユーザ機器が受信に成功したＰＤＵの最大シーケンス番号は前記上限シーケンス番号に隣接する場合、前記制御ＰＤＵフォーマットは前記ユーザ機器が受信に成功したＰＤＵの最大シーケンス番号及び前記下限シーケンス番号を含む。
【００４１】
制御ＰＤＵフォーマットはユーザ機器が受信に成功したＰＤＵの最大シーケンス番号、及び１つの誤って受信したＰＤＵのシーケンス番号範囲の下限シーケンス番号を含み、報告したステータスレポート制御ＰＤＵはユーザ機器が受信に成功したＰＤＵの最大シーケンス番号、及び１つの誤って受信したＰＤＵのシーケンス番号範囲の下限シーケンス番号を含む。
【００４２】
例えば、図４に示す例において、ユーザ機器受信に成功したＰＤＵの最大シーケンス番号はｎ＋３であり、ユーザ機器が誤って受信したＰＤＵのシーケンス番号範囲の下限及び上限はそれぞれｎ及びｎ＋２であり、ｎ＋２がｎ＋３に隣接し、この場合、ユーザ機器が報告したステータスレポート制御ＰＤＵはシーケンス番号ｎ＋３及びシーケンス番号ｎを含まればよい。ＲＬＣ層フィードバックオーバーヘッドを更に低減させる。制御ＰＤＵフォーマットはユーザ機器が受信に成功したＰＤＵの最大シーケンス番号、及び１つの誤って受信したＰＤＵのシーケンス番号範囲の下限シーケンス番号を含む例は図５に示すように、図５は本発明の実施例による他の制御ＰＤＵフォーマットを示す模式図である。
【００４３】
一実施例において、前記制御ＰＤＵフォーマットは前記ユーザ機器が受信に成功したＰＤＵの最大シーケンス番号、及び複数の誤って受信したＰＤＵのシーケンス番号範囲を含む。
【００４４】
制御ＰＤＵフォーマットはユーザ機器が受信に成功したＰＤＵの最大シーケンス番号、及び複数の誤って受信したＰＤＵのシーケンス番号範囲を含み、報告したステータスレポート制御ＰＤＵはユーザ機器が受信に成功したＰＤＵの最大シーケンス番号、及び複数の誤って受信したＰＤＵのシーケンス番号範囲を含む。
【００４５】
図６を参照して、図６は本発明の実施例による更なる制御ＰＤＵフォーマットを示す模式図である。図６は制御ＰＤＵフォーマットはユーザ機器が受信に成功したＰＤＵの最大シーケンス番号、及び複数の誤って受信したＰＤＵのシーケンス番号範囲を含む例の図である。
【００４６】
例えば、ネットワーク機器は既に送信したシーケンス番号がｎ〜ｎ＋１２であり、ユーザ機器が受信したＰＤＵのシーケンス番号はｎ＋３、ｎ＋８、ｎ＋１２であり、ユーザ機器側には受信されていないＰＤＵのシーケンス番号がｎ、ｎ＋１、ｎ＋２、ｎ＋４、ｎ＋５、ｎ＋６、ｎ＋９、ｎ＋１０、ｎ＋１１であることを発見し、ユーザ機器は図６に示す制御ＰＤＵフォーマットを使用して生成したステータスレポート制御ＰＤＵはユーザ機器が受信に成功したＰＤＵの最大シーケンス番号ｎ＋１２、及び複数の誤って受信したＰＤＵのシーケンス番号範囲ｎ〜ｎ＋２、ｎ＋４〜ｎ＋６、ｎ＋９〜ｎ＋１１を含む。
【００４７】
一実施例において、前記制御ＰＤＵフォーマットは前記ユーザ機器が受信に成功したＰＤＵの最大シーケンス番号、及び誤って受信した各ＰＤＵのシーケンス番号を含む。
【００４８】
制御ＰＤＵフォーマットはユーザ機器が受信に成功したＰＤＵの最大シーケンス番号、及び誤って受信した各ＰＤＵのシーケンス番号を含み、報告したステータスレポート制御ＰＤＵはユーザ機器が受信に成功したＰＤＵの最大シーケンス番号、及び誤って受信した各ＰＤＵのシーケンス番号を含む。
【００４９】
図７を参照して、図７は本発明の実施例による更なる制御ＰＤＵフォーマットを示す模式図である。図７は制御ＰＤＵフォーマットがユーザ機器の受信に成功したＰＤＵの最大シーケンス番号、及び誤って受信した各ＰＤＵのシーケンス番号を含む例の図である。
【００５０】
例えば、ネットワーク機器は既にシーケンス番号がｎ〜ｎ＋７のＰＤＵを送信し、ユーザ機器が受信したＰＤＵのシーケンス番号はｎ〜ｎ＋５であり。ユーザ機器側には、受信していないＰＤＵのシーケンス番号はｎ＋６〜ｎ＋７であることを発見し、ユーザ機器が報告したステータスレポート制御ＰＤＵはユーザ機器が受信に成功したＰＤＵの最大シーケンス番号ｎ＋５、及び誤って受信した各ＰＤＵのシーケンス番号ｎ＋６及びｎ＋７を含む。
【００５１】
また、図３、図５、図６及び図７におけるいくつかのパラメータは以下のように解釈され、制御ＰＤＵタイプ表示（Ｃｏｎｔｒｏｌ  ＰＤＵ  Ｔｙｐｅ、ＣＰＴ）。拡張ｂｉｔ  １（ｅｘｔｅｎｓｉｏｎ  ｂｉｔ  １、Ｅ１）、拡張ｂｉｔ  ２（ｅｘｔｅｎｓｉｏｎ  ｂｉｔ  ２、Ｅ２）、Ｅ１及びＥ２はその後に一連のＮＡＣＫ或いはその他のドメインが続く。ＮＡＣＫ＿ＳＮはユーザ機器が誤って受信したＰＤＵのシーケンス番号を示す。ＳＯｓｔａｒｔ及びＳＯｅｎｄの複合フィールド。ＳＯｓｔａｒｔ及びＳＯｅｎｄはＡＭＲＬＣ受信部分に失ったＡＭＤＰＤＵと検出したことを共に示し、ＳＯｓｔａｒｔは該失われた部分のＡＭＤＰＤＵにおける開始位置を示し、ＳＯｅｎｄは該失われた部分のＡＭＤＰＤＵにおける終了位置を示し、いずれもバイトを単位とする。
【００５２】
一実施例において、前記ユーザ機器は前記少なくとも１つの制御ＰＤＵフォーマットの中の１つの制御ＰＤＵフォーマットを選択する具体的な実施形態は、前記ユーザ機器はＰＤＵを誤って受信する状況に応じて前記少なくとも１つの制御ＰＤＵフォーマットの中の１つの制御ＰＤＵフォーマットを選択することである。
【００５３】
更に、前記ユーザ機器が誤って受信したＰＤＵの数は予め設定された閾値以上である場合、或いは前記ユーザ機器が誤って受信したＰＤＵの数は前記予め設定された閾値以上であり、且つ誤って受信したＰＤＵの番号は連続する場合に、前記その中の１つの制御ＰＤＵフォーマットは前記ユーザ機器が受信に成功したＰＤＵの最大シーケンス番号、及び一つの誤って受信したＰＤＵのシーケンス番号範囲を含む。
【００５４】
更に、前記ユーザ機器が誤って受信したＰＤＵの数は前記予め設定された閾値以上であり、且つ誤って受信したＰＤＵの番号が連続しない場合、前記その中の１つの制御ＰＤＵフォーマットは前記ユーザ機器が受信に成功したＰＤＵの最大シーケンス番号、及び複数の誤って受信したＰＤＵのシーケンス番号範囲を含む。
【００５５】
更に、前記ユーザ機器が誤って受信したＰＤＵの数は前記予め設定された閾値より小さい場合、前記その中の１つの制御ＰＤＵフォーマットは前記ユーザ機器が受信に成功したＰＤＵの最大シーケンス番号、及び誤って受信した各ＰＤＵのシーケンス番号を含む。
【００５６】
例えば、ネットワーク機器はユーザ機器のために複数の制御ＰＤＵフォーマット、例えば図３、図５、図６及び図７に示すような４種の制御ＰＤＵフォーマットを設定する。例えば、仮に予め設定された閾値を３とし、ネットワーク機器は既にシーケンス番号がｎ−２、ｎ−１〜ｎ＋３のＰＤＵを送信し、ユーザ機器が受信していないＰＤＵのシーケンス番号はｎ〜ｎ＋２であり、これから見ると、ユーザ機器が誤って受信したＰＤＵの数が３より大きく、且つ誤って受信したＰＤＵの番号は連続するため、ユーザ機器は図３に示す制御ＰＤＵフォーマットを選択してステータスレポート制御ＰＤＵを生成する。また例えば、仮に予め設定された閾値を３とし、ネットワーク機器は既にシーケンス番号がｎ〜ｎ＋１０のＰＤＵを送信し、ユーザ機器が受信していないＰＤＵのシーケンス番号はｎ、ｎ＋１、ｎ＋２、ｎ＋４、ｎ＋５、ｎ＋６であり、これから見ると、ユーザ機器が誤って受信したＰＤＵの数量は３より大きく、且つ誤って受信したＰＤＵの番号は連続しないため、ユーザ機器は図６に示す制御ＰＤＵフォーマットを選択してステータスレポート制御ＰＤＵを生成する。また例えば、仮に予め設定された閾値を３とし、ネットワーク機器は既にシーケンス番号がｎ〜ｎ＋１０のＰＤＵを送信し、ユーザ機器が受信していないＰＤＵのシーケンス番号はｎ、ｎ＋１であり、これから見ると、ユーザ機器が誤って受信したＰＤＵの数は３より大きく、且つ誤って受信したＰＤＵの番号は連続しないため、ユーザ機器は図７に示す制御ＰＤＵフォーマットを選択してステータスレポート制御ＰＤＵを生成する。
【００５７】
これから見ると、ネットワーク機器はユーザ機器のために複数の制御ＰＤＵフォーマットを設定する場合に、ユーザ機器はユーザ機器自体がＰＤＵを誤って受信する場合に応じてどちらの制御ＰＤＵフォーマットを選択してステータスレポート制御ＰＤＵを生成し、ＲＬＣ層フィードバックオーバーヘッドを低減させることを確保する前提で、ユーザ機器が報告したＰＤＵを誤って受信する番号がより正確になる。
【００５８】
一実施例において、前記構成情報は前記少なくとも１つの制御ＰＤＵフォーマットの第１使用構成を更に含み、前記ユーザ機器は前記少なくとも１つの制御ＰＤＵフォーマットの中の１つの制御ＰＤＵフォーマットを選択する具体的な実施形態は、前記ユーザ機器は前記少なくとも１つの制御ＰＤＵフォーマットの第１使用構成に基づき、前記少なくとも１つの制御ＰＤＵフォーマットの中の１つの制御ＰＤＵフォーマットを選択する。
【００５９】
前記第１使用構成は前記少なくとも１つの制御ＰＤＵフォーマットの使用時間を含む。例えば、図３に示す制御ＰＤＵフォーマットの使用時間は１０：００ａｍ〜１１：００ａｍであり、該時間内でユーザ機器は図３に示す制御ＰＤＵフォーマットを使用してステータスレポート制御ＰＤＵを生成する。
【００６０】
これから見ると、ネットワーク機器は前記少なくとも１つの制御ＰＤＵフォーマット使用構成を静的に設定することによって、続いたネットワーク機器がその他のシグナリングによってユーザ機器にどちらの制御ＰＤＵフォーマットを使用してステータスレポート制御ＰＤＵを生成することを指示する必要がなく、更にリソースオーバーヘッドを低減させることができる。
【００６１】
一実施例において、前記方法は、
前記ネットワーク機器は前記ユーザ機器へ指示情報を送信し、前記指示情報は前記少なくとも１つの制御ＰＤＵフォーマットの第２使用構成を含むステップと、前記ユーザ機器は前記ネットワーク機器が送信した指示情報を受信するステップと、前記ユーザ機器は前記少なくとも１つの制御ＰＤＵフォーマットの第２使用構成に基づき、前記少なくとも１つの制御ＰＤＵフォーマットの中の１つの制御ＰＤＵフォーマットを選択するステップと、を更に含む。
【００６２】
前記第２使用構成は前記少なくとも１つの制御ＰＤＵフォーマットの使用時間を含む。例えば、図６に示す制御ＰＤＵフォーマットの使用時間は１３：００ａｍ〜１８：００ａｍであり、該時間内でユーザ機器は図６に示す制御ＰＤＵフォーマットを使用してステータスレポート制御ＰＤＵを生成する。
【００６３】
これから見ると、ネットワーク機器は続いて指示情報によってユーザ機器がどちらの制御ＰＤＵフォーマットを使用してステータスレポート制御ＰＤＵを生成することを動的に指示し、ユーザ機器により柔軟にステータスレポート制御ＰＤＵを生成させることができ、場合によって、さまざまなシナリオのニーズを満たすことができる。
【００６４】
本発明の実施例はユーザ機器８００を更に提供し、図８に示すように、
ネットワーク機器が送信した構成情報を受信することに用いられ、前記構成情報は少なくとも１つの制御ＰＤＵフォーマットを含む受信モジュール８０１と、
前記少なくとも１つの制御ＰＤＵフォーマットの中の１つの制御ＰＤＵフォーマットを選択してステータスレポート制御ＰＤＵを生成するための処理モジュール８０２と、
前記ステータスレポート制御ＰＤＵを報告するための送信モジュール８０３と、を備える。
【００６５】
一実施例において、前記制御ＰＤＵフォーマットは前記ユーザ機器が受信に成功したＰＤＵの最大シーケンス番号、及び一つの誤って受信したＰＤＵのシーケンス番号範囲を含む。
【００６６】
一実施例において、前記シーケンス番号範囲は上限シーケンス番号及び下限シーケンス番号を含み、前記ユーザ機器が受信に成功したＰＤＵの最大シーケンス番号は前記上限シーケンス番号に隣接する際に、前記制御ＰＤＵフォーマットは前記ユーザ機器が受信に成功したＰＤＵの最大シーケンス番号及び前記下限シーケンス番号を含む。
【００６７】
一実施例において、前記制御ＰＤＵフォーマットは前記ユーザ機器が受信に成功したＰＤＵの最大シーケンス番号、及び複数の誤って受信したＰＤＵのシーケンス番号範囲を含む。
【００６８】
一実施例において、前記制御ＰＤＵフォーマットは前記ユーザ機器が受信に成功したＰＤＵの最大シーケンス番号、及び誤って受信した各ＰＤＵのシーケンス番号を含む。
【００６９】
一実施例において、前記処理モジュール８０２は、具体的に、
ＰＤＵを誤って受信する状況に応じて、前記少なくとも１つの制御ＰＤＵフォーマットの中の１つの制御ＰＤＵフォーマットを選択することに用いられる。
【００７０】
一実施例において、前記ユーザ機器が誤って受信したＰＤＵの数は予め設定された閾値以上である場合、或いは前記ユーザ機器が誤って受信したＰＤＵの数は前記予め設定された閾値以上であり、且つ誤って受信したＰＤＵの番号は連続する場合、前記その中の１つの制御ＰＤＵフォーマットは前記ユーザ機器が受信に成功したＰＤＵの最大シーケンス番号、及び一つの誤って受信したＰＤＵのシーケンス番号範囲を含む。
【００７１】
一実施例において、前記ユーザ機器が誤って受信したＰＤＵの数は前記予め設定された閾値以上であり、且つ誤って受信したＰＤＵの番号は連続しない場合、前記その中の１つの制御ＰＤＵフォーマットは前記ユーザ機器が受信に成功したＰＤＵの最大シーケンス番号、及び複数の誤って受信したＰＤＵのシーケンス番号範囲を含む。
【００７２】
一実施例において、前記ユーザ機器が誤って受信したＰＤＵの数は前記予め設定された閾値より小さい場合、前記その中の１つの制御ＰＤＵフォーマットは前記ユーザ機器が受信に成功したＰＤＵの最大シーケンス番号、及び誤って受信した各ＰＤＵのシーケンス番号を含む。
【００７３】
一実施例において、前記構成情報は前記少なくとも１つの制御ＰＤＵフォーマットの第１使用構成を更に含み、前記処理モジュール８０２は、具体的に、
前記少なくとも１つの制御ＰＤＵフォーマットの第１使用構成に基づき、前記少なくとも１つの制御ＰＤＵフォーマットの中の１つの制御ＰＤＵフォーマットを選択することに用いられる。
【００７４】
一実施例において、前記受信モジュール８０１は、更に前記ネットワーク機器が送信した指示情報を受信することに用いられ、前記指示情報は前記少なくとも１つの制御ＰＤＵフォーマットの第２使用構成を含み、
前記処理モジュール８０２は、具体的に、前記少なくとも１つの制御ＰＤＵフォーマットの第２使用構成に基づき、前記少なくとも１つの制御ＰＤＵフォーマットの中の１つの制御ＰＤＵフォーマットを選択することに用いられる。
【００７５】
なお、上記各モジュール（受信モジュール８０１、処理モジュール８０２及び送信モジュール８０３）は上記方法の関連ステップを実行することに用いられる。
【００７６】
本実施例において、ユーザ機器８００はモジュールの形で現れる。ここの「モジュール」は特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、１つ又は複数のソフトウェア又はファームウェアプログラムを実行するプロセッサーおよびメモリ、集成ロジック回路、及び／又はその他の上記機能を提供することができるデバイスを指すことができる。なお、以上の処理モジュール８０２は図１０に示すユーザ機器のプロセッサー１００１によって実現されることができ、受信モジュール８０１及び送信モジュール８０３は図１０に示すユーザ機器のトランシーバー１００３によって実現されることができる。
【００７７】
本発明の実施例はネットワーク機器９００を更に提供し、図９に示すように、
構成情報を生成することに用いられ、前記構成情報は少なくとも１つの制御ＰＤＵフォーマットを含む処理モジュール９０１と、
ユーザ機器へ前記構成情報を送信するための送信モジュール９０２と、
前記ユーザ機器が報告したステータスレポート制御ＰＤＵを受信することに用いられ、前記ステータスレポート制御ＰＤＵは前記ユーザ機器が前記少なくとも１つの制御ＰＤＵフォーマットの中の１つの制御ＰＤＵフォーマットを選択して生成されたものである受信モジュール９０３と、を備える。
【００７８】
一実施例において、前記制御ＰＤＵフォーマットは前記ユーザ機器が受信に成功したＰＤＵの最大シーケンス番号、及び一つの誤って受信したＰＤＵのシーケンス番号範囲を含む。
【００７９】
一実施例において、前記シーケンス番号範囲は上限シーケンス番号及び下限シーケンス番号を含み、前記ユーザ機器が受信に成功したＰＤＵの最大シーケンス番号は前記上限シーケンス番号に隣接する際に、前記制御ＰＤＵフォーマットは前記ユーザ機器が受信に成功したＰＤＵの最大シーケンス番号及び前記下限シーケンス番号を含む。
【００８０】
一実施例において、前記制御ＰＤＵフォーマットは前記ユーザ機器が受信に成功したＰＤＵの最大シーケンス番号、及び複数の誤って受信したＰＤＵのシーケンス番号範囲を含む。
【００８１】
一実施例において、前記制御ＰＤＵフォーマットは前記ユーザ機器が受信に成功したＰＤＵの最大シーケンス番号、及び誤って受信した各ＰＤＵのシーケンス番号を含む。
【００８２】
一実施例において、前記構成情報は前記少なくとも１つの制御ＰＤＵフォーマットの第１使用構成を更に含み、前記第１使用構成は前記ユーザ機器が前記少なくとも１つの制御ＰＤＵフォーマットの中の１つの制御ＰＤＵフォーマットを選択することに用いられる。
【００８３】
一実施例において、前記送信モジュール９０２は、更に前記ユーザ機器へ指示情報を送信することに用いられ、前記指示情報は前記少なくとも１つの制御ＰＤＵフォーマットの第２使用構成を含み、前記第２使用構成は前記ユーザ機器が前記少なくとも１つの制御ＰＤＵフォーマットの中の１つの制御ＰＤＵフォーマットを選択することに用いられる。
【００８４】
なお、上記各モジュール（処理モジュール９０１、送信モジュール９０２及び受信モジュール９０３）は上記方法の関連ステップを実行することに用いられる。
【００８５】
本実施例において、ネットワーク機器９００はモジュールの形で現れる。ここの「モジュール」は特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、１つ又は複数のソフトウェア又はファームウェアプログラムを実行するプロセッサーおよびメモリ、集成ロジック回路、及び／又はその他の上記機能を提供することができるデバイスを指すことができる。なお、以上の処理モジュール９０１は図１１に示すユーザ機器のプロセッサー１１０１によって実現されることができ、送信モジュール９０２及び受信モジュール９０３は図１１に示すユーザ機器のトランシーバー１１０３によって実現されることができる。
【００８６】
図１０に示すように、ユーザ機器１０００は図１０の中の構造によって実現されることができ、該ユーザ機器１０００は少なくとも１つのプロセッサー１００１、少なくとも１つのメモリ１００２及び少なくとも１つのトランシーバー１００３を備える。前記プロセッサー１００１は前記通信バスによって前記メモリ１００２及び前記トランシーバー５０３に接続されて且つ互いの間の通信を完成する。
【００８７】
プロセッサー１００１はユニバーサルセントラルプロセッサー（ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は１つ又は複数の以上の手段プログラムの実行を制御するための集積回路であってもよい。
【００８８】
トランシーバー１００３は、その他の機器又は通信ネットワーク、例えばイーサネット、無線アクセスネットワーク（ＲＡＮ）、無線ローカルエリアネットワーク（Ｗｉｒｅｌｅｓｓ  Ｌｏｃａｌ  Ａｒｅａ  Ｎｅｔｗｏｒｋｓ、ＷＬＡＮ）等と通信することに用いられる。
【００８９】
メモリ１００２は読み出し専用メモリ（ｒｅａｄ−ｏｎｌｙ  ｍｅｍｏｒｙ、ＲＯＭ）  又は静的情報及び命令を記憶することができるその他のタイプの静的記憶装置、ランダムアクセスメモリ（ｒａｎｄｏｍ  ａｃｃｅｓｓ  ｍｅｍｏｒｙ、ＲＡＭ）  或いは情報及び命令を記憶することができるその他のタイプの動的記憶装置であってもよいし、電気的消去可能プログラマブル読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読み取り専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）又はその他のＣＤメモリ、ディスクメモリ（圧縮ディスク、レーザーディスク、コンパクトディスク、デジタル多用途ディスク、ブルーレイディスク等を含む）、ディスク記憶媒体又はその他の磁気記憶装置、或いは命令又はデータ構造形式を有する所望のプログラムコードを含め又は記憶することに用いられ、且つコンピュータによりアクセスすることができる任意のその他の媒体であってもよいが、これらに制限されない。メモリは独立して存在することができ、バスによってプロセッサーに接続される。メモリはプロセッサーに集積されてもよい。
【００９０】
前記メモリ１００２は以上の手段を実行するアプリケーションコードを記憶することに用いられ、且つプロセッサー１００１により制御して実行する。前記プロセッサー１００１は前記メモリ５０２に記憶されたアプリケーションコードを実行することに用いられる。
【００９１】
メモリ１００２に記憶されたコードは以上で提供したユーザ機器が実行した上記ＲＬＣレイヤステータスレポート制御ＰＤＵの伝送方法を実行することができ、例えばネットワーク機器が送信した構成情報を受信し、前記構成情報は少なくとも１つの制御ＰＤＵフォーマットを含み、前記少なくとも１つの制御ＰＤＵフォーマットの中の１つの制御ＰＤＵフォーマットを選択してステータスレポート制御ＰＤＵを生成し、及び前記ステータスレポート制御ＰＤＵを報告する。
【００９２】
図１１に示すように、ネットワーク機器１１００は図１１における構造によって実現されることができ、該ネットワーク機器１１００は少なくとも１つのプロセッサー１１０１、少なくとも１つのメモリ１１０２及び少なくとも１つのトランシーバー１１０３を備える。前記プロセッサー１１０１は前記通信バスによって前記メモリ１１０２及び前記トランシーバー１１０３に接続されて且つ互いの間の通信を完成する。
【００９３】
プロセッサー１１０１はユニバーサルセントラルプロセッサー（ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は１つ又は複数の以上手段のプログラムの実行を制御するための集積回路であってもよい。
【００９４】
トランシーバー１１０３は、その他の機器又は通信ネットワーク、例えばイーサネット、無線アクセスネットワーク（ＲＡＮ）、無線ローカルエリアネットワーク（Ｗｉｒｅｌｅｓｓ  Ｌｏｃａｌ  Ａｒｅａ  Ｎｅｔｗｏｒｋｓ、ＷＬＡＮ）等と通信することに用いられる。
【００９５】
メモリ１１０２は読み出し専用メモリ（ｒｅａｄ−ｏｎｌｙ  ｍｅｍｏｒｙ、ＲＯＭ）  又は静的情報及び命令を記憶することができるその他のタイプの静的記憶装置、ランダムアクセスメモリ（ｒａｎｄｏｍ  ａｃｃｅｓｓ  ｍｅｍｏｒｙ、ＲＡＭ）  或いは情報及び命令を記憶することができるその他のタイプの動的記憶装置であってもよいし、電気的消去可能プログラマブル読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読み取り専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）又はその他のＣＤメモリ、ディスクメモリ（圧縮ディスク、レーザーディスク、コンパクトディスク、デジタル多用途ディスク、ブルーレイディスク等を含む）、ディスク記憶媒体又はその他の磁気記憶装置、或いは命令又はデータ構造形式を有する所望のプログラムコードを含め又は記憶することに用いられ、且つコンピュータによりアクセスすることができる任意のその他の媒体であってもよいが、これらに制限されない。メモリは独立して存在することができ、バスによってプロセッサーに接続される。メモリはプロセッサーに集積されてもよい。
【００９６】
前記メモリ１１０２は以上の手段を実行するアプリケーションコードを記憶することに用いられ、且つプロセッサー１１０１により制御して実行する。前記プロセッサー１１０１は前記メモリ１１０２に記憶されたアプリケーションコードを実行することに用いられる。
【００９７】
メモリ１１０２に記憶されたコードは以上で提供したユーザ機器が実行した上記ＲＬＣレイヤステータスレポート制御ＰＤＵの伝送方法を実行することができ、例えば構成情報を生成し、前記構成情報は少なくとも１つの制御ＰＤＵフォーマットを含み、ユーザ機器へ前記構成情報を送信し、前記ユーザ機器が報告したステータスレポート制御ＰＤＵを受信し、前記ステータスレポート制御ＰＤＵは前記ユーザ機器が前記少なくとも１つの制御ＰＤＵフォーマットの中の１つの制御ＰＤＵフォーマットを選択して生成されたものである。
【００９８】
発明実施例は通信システムを更に提供し、図８に示すユーザ機器８００及び図９に示すネットワーク機器９００を備え、或いは、図１０に示すユーザ機器１０００及び図１１に示すネットワーク機器１１００を備える。
【００９９】
本発明の実施例はコンピュータ記憶媒体を更に提供し、該コンピュータ記憶媒体にプログラムが記憶されることができ、該プログラムが実行される際に上記の方法の実施例に記載のいずれかのＲＬＣレイヤステータスレポート制御ＰＤＵの伝送方法の一部又は全部のステップを含む。
【０１００】
本発明の実施例は他のコンピュータ記憶媒体をさらに提供し、該コンピュータ記憶媒体にプログラムが記憶されることができ、該プログラムが実行される際に上記の方法の実施例に記載のいずれかのＲＬＣレイヤステータスレポート制御ＰＤＵの伝送方法の一部又は全部のステップを含む。
【０１０１】
なお、前記の各方法の実施例に対して、簡単に説明するために、一連の行動の組み合わせとして表現されるが、当業者は、本発明は説明された動作順序に制限されないことを分かるべきであるのは、本発明によれば、あるステップはその他の順序で行い或いは同時に行うことができるわけである。次に、当業者は、明細書に説明された実施例はいずれも好ましい実施例に属し、関した動作及びモジュールは必ずしも本発明に必要なものではないことも分かるべきである。
【０１０２】
上記の実施例において、各実施例の説明はそれ自身の強調を有し、ある実施例における詳細的に説明しない部分は、その他の実施例の関連説明を参照することができる。
【０１０３】
本出願によるいくつかの実施例において、開示された装置はその他の方法によって実現することができることを理解すべきである。例えば、複数のユニット又は組立部品を結合してもよいし、又は別のシステムに集積してもよいし、又はいくつかの特徴を無視でき、又は実行しなくてもよい。また、表示又は検討した各組成部分の互いの間にカップリング、又は直接カップリング、又は通信接続はいくつかのインターフェース、装置又はユニットによる間接カップリング又は通信接続であってもよく、電気的、又はその形式の接続であってもよい。
【０１０４】
前記の分離部材として説明したユニットは物理的に分離してもよいし、又は分離しなくてもよく、ユニットとして表示する部材は物理ユニットであってもよいし、又は物理ユニットではなくてもよく、即ち１つの場所に位置してもよいし、複数のネットワークユニットに分布してもよい。実際の必要に応じてその中の一部又は全部のユニットを選択して本実施例手段の目的を実現することができる。
【０１０５】
また、本発明の各実施例における各機能ユニットは１つの処理ユニットに集積されもよいし、各ユニットは物理的に別々に存在してもよいし、２つ又は２つ以上のユニットは１つのユニットに集積されてもよい。上記集積したユニットはハードウェアの形式で実現されてもよいし、ソフトウェア機能ユニットの形式で実現されてもよい。
【０１０６】
前記集成されたユニットはソフトウェア機能モジュールの形式で実現して、且つ独立した製品として販売又は使用する際に、１つのコンピュータの読み取り可能な記憶媒体に記憶されることもできる。このような理解に基づいて、本発明の技術的解決手段は本質的或いは従来技術に貢献する部分或いは該技術的解決手段の全部または一部はソフトウェア製品の形式で表現することができ、該コンピュータソフトウェア製品が１つの記憶媒体に記憶され、一台のコンピュータ設備（パーソナルコンピュータ、サーバー、或いはネットワーク設備等である）が本発明の各実施例に記載の方法の全部又は一部を実行するための若干の指令を含む。前述のメモリは、Ｕディスク、読み出し専用記憶装置（ＲＯＭ、Ｒｅａｄ‐Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ、）、モバイルハードディスク、ディスク或いはＣＤ等の様々なプログラムコードを記憶できる媒体である。
【０１０７】
当業者は、上記の実施例の様々な方法における全部又は一部のステップは、プログラムによって関連するハードウェアを命令することによって完成することができることを理解することができ、該プログラムはコンピュータ読み取り可能メモリに記憶されることができ、メモリは、フラッシュドライブ、読み出し専用メモリ（英語、Ｒｅａｄ−Ｏｎｌｙ  Ｍｅｍｏｒｙ  、ＲＯＭと略称）、ランダムアクセスメモリ（英語、Ｒａｎｄｏｍ  Ａｃｃｅｓｓ  Ｍｅｍｏｒｙ、ＲＡＭと略称）、ディスク又はＣＤ等を含むことができる。
【０１０８】
以上は本発明の実施例を詳細的に説明し、本文で具体的な例によって本発明の原理及び実施形態を説明し、以上の実施例の説明は本発明の方法及びそのコアアイディアを理解するのを助けることに用いられ、当業者にとって、本発明の思想に従って、具体的な実施形態及び使用範囲上でいずれも変更があり、以上のように、本明細書の内容は本発明を制限するものとして理解されるべきではない。
【図１】
2020504972.tif 000007
【図２】
2020504972.tif 000008
【図３】
2020504972.tif 000009
【図４】
2020504972.tif 000010
【図５】
2020504972.tif 000011
【図６】
2020504972.tif 000012
【図７】
2020504972.tif 000013
【図８】
2020504972.tif 000014
【図９】
2020504972.tif 000015
【図１０】
2020504972.tif 000016
【図１１】
2020504972.tif 000017
【手続補正書】
【提出日】令和1年12月19日(2019.12.19)
【手続補正１】
【補正対象書類名】明細書
【補正対象項目名】０００９
【補正方法】変更
【補正の内容】
【０００９】
第５態様によれば、本発明の実施例はユーザ機器を提供し、プロセッサー、メモリ、トランシーバー及びバスを備え、
前記プロセッサーは前記バスによって前記メモリ及び前記トランシーバーに接続され、及び互いの間の通信を完成し、
前記メモリに実行可能プログラムコードが記憶され、前記プロセッサーは前記メモリにおける実行可能なプログラムコードを呼出し、本発明の実施例における第１態様のような方法を実行することに用いられる。
第６態様によれば、本発明の実施例はユーザ機器を提供し、プロセッサー、メモリ、トランシーバー及びバスを備え、
前記プロセッサーは前記バスによって前記メモリ及び前記トランシーバーに接続され、及び互いの間の通信を完成し、
前記メモリに実行可能プログラムコードが記憶され、前記プロセッサーは前記メモリにおける実行可能なプログラムコードを呼出し、本発明の実施例における第２態様のような方法を実行することに用いられる。
【手続補正２】
【補正対象書類名】明細書
【補正対象項目名】００２４
【補正方法】変更
【補正の内容】
【００２４】
３）、プロトコルデータユニット（ＰＤＵ）とは、階層ネットワーク構造、例えばオープンシステム相互接続モデルにおいて、２つの機器のピア階層の間のプロトコル交換情報を指す。
【手続補正３】
【補正対象書類名】明細書
【補正対象項目名】００２５
【補正方法】変更
【補正の内容】
【００２５】
４）、「複数」とは２つ又は２つ以上を指す。「及び／又は」は、関連対象の関連関係を説明し、例えば、Ａ及び／又はＢ、３つの関係があり得ることを示し、単独にＡが存在し、同時にＡとＢが存在し、単独にＢが存在するという三種の場合を示すことができる。キャラクター「／」は、一般的に前後関連対象が「又は」の関係であることを示す。
【手続補正４】
【補正対象書類名】明細書
【補正対象項目名】００３３
【補正方法】変更
【補正の内容】
【００３３】
2020504972.tif 000018
【手続補正５】
【補正対象書類名】明細書
【補正対象項目名】００８６
【補正方法】変更
【補正の内容】
【００８６】
図１０に示すように、ユーザ機器１０００は図１０の中の構造によって実現されることができ、該ユーザ機器１０００は少なくとも１つのプロセッサー１００１、少なくとも１つのメモリ１００２及び少なくとも１つのトランシーバー１００３を備える。前記プロセッサー１００１は前記通信バスによって前記メモリ１００２及び前記トランシーバー１００３に接続されて且つ互いの間の通信を完成する。
【手続補正６】
【補正対象書類名】明細書
【補正対象項目名】００９０
【補正方法】変更
【補正の内容】
【００９０】
前記メモリ１００２は以上の手段を実行するアプリケーションコードを記憶することに用いられ、且つプロセッサー１００１により制御して実行する。前記プロセッサー１００１は前記メモリ１００２に記憶されたアプリケーションコードを実行することに用いられる。
【手続補正７】
【補正対象書類名】特許請求の範囲
【補正対象項目名】全文
【補正方法】変更
【補正の内容】
【特許請求の範囲】
【請求項１】
無線リンク制御（ＲＬＣ）レイヤステータスレポート制御プロトコルデータユニット（ＰＤＵ）の伝送方法であって、
ユーザ機器はネットワーク機器が送信した構成情報を受信し、前記構成情報は少なくとも１つの制御ＰＤＵフォーマットを含むステップと、
前記ユーザ機器は前記少なくとも１つの制御ＰＤＵフォーマットの中の１つの制御ＰＤＵフォーマットを選択してステータスレポート制御ＰＤＵを生成し、及び前記ステータスレポート制御ＰＤＵを報告するステップと、を含むことを特徴とする無線リンク制御（ＲＬＣ）レイヤステータスレポート制御プロトコルデータユニット（ＰＤＵ）の伝送方法。
【請求項２】
前記制御ＰＤＵフォーマットは前記ユーザ機器が受信に成功したＰＤＵの最大シーケンス番号、及び１つの誤って受信したＰＤＵのシーケンス番号範囲を含むことを特徴とする請求項１に記載の方法。
【請求項３】
前記シーケンス番号範囲は上限シーケンス番号及び下限シーケンス番号を含み、前記ユーザ機器が受信に成功したＰＤＵの最大シーケンス番号は前記上限シーケンス番号に隣接する際に、前記制御ＰＤＵフォーマットは前記ユーザ機器が受信に成功したＰＤＵの最大シーケンス番号及び前記下限シーケンス番号を含むことを特徴とする請求項２に記載の方法。
【請求項４】
前記制御ＰＤＵフォーマットは前記ユーザ機器が受信に成功したＰＤＵの最大シーケンス番号、及び複数の誤って受信したＰＤＵのシーケンス番号範囲を含むことを特徴とする請求項１に記載の方法。
【請求項５】
前記制御ＰＤＵフォーマットは前記ユーザ機器が受信に成功したＰＤＵの最大シーケンス番号、及び誤って受信した各ＰＤＵのシーケンス番号を含むことを特徴とする請求項１に記載の方法。
【請求項６】
前記ユーザ機器は前記少なくとも１つの制御ＰＤＵフォーマットの中の１つの制御ＰＤＵフォーマットを選択するのは、
前記ユーザ機器はＰＤＵを誤って受信する状況に応じて前記少なくとも１つの制御ＰＤＵフォーマットの中の１つの制御ＰＤＵフォーマットを選択することを含むことを特徴とする請求項１−５のいずれかに記載の方法。
【請求項７】
前記ユーザ機器が誤って受信したＰＤＵの数は予め設定された閾値以上である場合、或いは前記ユーザ機器が誤って受信したＰＤＵの数は前記予め設定された閾値より以上であり、且つ誤って受信したＰＤＵの番号は連続する場合、前記その中の１つの制御ＰＤＵフォーマットは前記ユーザ機器が受信に成功したＰＤＵの最大シーケンス番号、及び一つの誤って受信したＰＤＵのシーケンス番号範囲を含むことを特徴とする請求項６に記載の方法。
【請求項８】
前記ユーザ機器が誤って受信したＰＤＵの数は前記予め設定された閾値以上であり、且つ誤って受信したＰＤＵの番号は連続しない場合、前記その中の１つの制御ＰＤＵフォーマットは前記ユーザ機器が受信に成功したＰＤＵの最大シーケンス番号、及び複数の誤って受信したＰＤＵのシーケンス番号範囲を含むことを特徴とする請求項６に記載の方法。
【請求項９】
前記ユーザ機器が誤って受信したＰＤＵの数は前記予め設定された閾値より小さい場合、前記その中の１つの制御ＰＤＵフォーマットは前記ユーザ機器が受信に成功したＰＤＵの最大シーケンス番号、及び誤って受信した各ＰＤＵのシーケンス番号を含むことを特徴とする請求項６に記載の方法。
【請求項１０】
無線リンク制御（ＲＬＣ）レイヤステータスレポート制御プロトコルデータユニット（ＰＤＵ）の伝送方法であって、
ネットワーク機器は構成情報を生成し、前記構成情報は少なくとも１つの制御ＰＤＵフォーマットを含むステップと、
前記ネットワーク機器はユーザ機器へ前記構成情報を送信するステップと、
前記ネットワーク機器は前記ユーザ機器が報告したステータスレポート制御ＰＤＵを受信し、前記ステータスレポート制御ＰＤＵは前記ユーザ機器が前記少なくとも１つの制御ＰＤＵフォーマットの中の１つの制御ＰＤＵフォーマットを選択して生成されたものであるステップと、を含むことを特徴とする無線リンク制御（ＲＬＣ）レイヤステータスレポート制御プロトコルデータユニット（ＰＤＵ）の伝送方法。
【請求項１１】
前記制御ＰＤＵフォーマットは前記ユーザ機器が受信に成功したＰＤＵの最大シーケンス番号、及び一つの誤って受信したＰＤＵのシーケンス番号範囲を含むことを特徴とする請求項１０に記載の方法。
【請求項１２】
前記シーケンス番号範囲は上限シーケンス番号及び下限シーケンス番号を含み、前記ユーザ機器が受信に成功したＰＤＵの最大シーケンス番号は前記上限シーケンス番号に隣接する際に、前記制御ＰＤＵフォーマットは前記ユーザ機器が受信に成功したＰＤＵの最大シーケンス番号及び前記下限シーケンス番号を含むことを特徴とする請求項１１に記載の方法。
【請求項１３】
前記制御ＰＤＵフォーマットは前記ユーザ機器が受信に成功したＰＤＵの最大シーケンス番号、及び複数の誤って受信したＰＤＵのシーケンス番号範囲を含むことを特徴とする請求項１０に記載の方法。
【請求項１４】
前記制御ＰＤＵフォーマットは前記ユーザ機器が受信に成功したＰＤＵの最大シーケンス番号、及び誤って受信した各ＰＤＵのシーケンス番号を含むことを特徴とする請求項１０に記載の方法。
【請求項１５】
ユーザ機器であって、
ネットワーク機器が送信した構成情報を受信することに用いられ、前記構成情報は少なくとも１つの制御ＰＤＵフォーマットを含む受信モジュールと、
前記少なくとも１つの制御ＰＤＵフォーマットの中の１つの制御ＰＤＵフォーマットを選択してステータスレポート制御ＰＤＵを生成するための処理モジュールと、
前記ステータスレポート制御ＰＤＵを報告するための送信モジュールと、を備えることを特徴とするユーザ機器。
【請求項１６】
前記制御ＰＤＵフォーマットは前記ユーザ機器が受信に成功したＰＤＵの最大シーケンス番号、及び一つの誤って受信したＰＤＵのシーケンス番号範囲を含むことを特徴とする請求項１５に記載のユーザ機器。
【請求項１７】
前記シーケンス番号範囲は上限シーケンス番号及び下限シーケンス番号を含み、前記ユーザ機器が受信に成功したＰＤＵの最大シーケンス番号は前記上限シーケンス番号に隣接する際に、前記制御ＰＤＵフォーマットは前記ユーザ機器が受信に成功したＰＤＵの最大シーケンス番号及び前記下限シーケンス番号を含むことを特徴とする請求項１６に記載のユーザ機器。
【請求項１８】
前記制御ＰＤＵフォーマットは前記ユーザ機器が受信に成功したＰＤＵの最大シーケンス番号、及び複数の誤って受信したＰＤＵのシーケンス番号範囲を含むことを特徴とする請求項１５に記載のユーザ機器。
【請求項１９】
前記制御ＰＤＵフォーマットは前記ユーザ機器が受信に成功したＰＤＵの最大シーケンス番号、及び誤って受信した各ＰＤＵのシーケンス番号を含むことを特徴とする請求項１５に記載のユーザ機器。
【請求項２０】
前記処理モジュールは、具体的に、
ＰＤＵを誤って受信する状況に応じて前記少なくとも１つの制御ＰＤＵフォーマットの中の１つの制御ＰＤＵフォーマットを選択することに用いられることを特徴とする請求項１５-１９のいずれかに記載のユーザ機器。
【請求項２１】
前記ユーザ機器が誤って受信したＰＤＵの数は予め設定された閾値以上である場合、或いは前記ユーザ機器が誤って受信したＰＤＵの数は前記予め設定された閾値以上であり、且つ誤って受信したＰＤＵの番号は連続する場合、前記その中の１つの制御ＰＤＵフォーマットは前記ユーザ機器が受信に成功したＰＤＵの最大シーケンス番号、及び一つの誤って受信したＰＤＵのシーケンス番号範囲を含むことを特徴とする請求項２０に記載のユーザ機器。
【請求項２２】
前記ユーザ機器が誤って受信したＰＤＵの数は前記予め設定された閾値以上であり、且つ誤って受信したＰＤＵの番号は連続しない場合、前記その中の１つの制御ＰＤＵフォーマットは前記ユーザ機器が受信に成功したＰＤＵの最大シーケンス番号、及び複数の誤って受信したＰＤＵのシーケンス番号範囲を含むことを特徴とする請求項２０に記載のユーザ機器。
【請求項２３】
前記ユーザ機器が誤って受信したＰＤＵの数は前記予め設定された閾値より小さい場合、前記その中の１つの制御ＰＤＵフォーマットは前記ユーザ機器が受信に成功したＰＤＵの最大シーケンス番号、及び誤って受信した各ＰＤＵのシーケンス番号を含むことを特徴とする請求項２０に記載のユーザ機器。
【請求項２４】
ネットワーク機器であって、
構成情報を生成することに用いられ、前記構成情報は少なくとも１つの制御ＰＤＵフォーマットを含む処理モジュールと、
ユーザ機器へ前記構成情報を送信するための送信モジュールと、
前記ユーザ機器が報告したステータスレポート制御ＰＤＵを受信することに用いられ、前記ステータスレポート制御ＰＤＵは前記ユーザ機器が前記少なくとも１つの制御ＰＤＵフォーマットの中の１つの制御ＰＤＵフォーマットを選択して生成されたものである受信モジュールと、を備えることを特徴とするネットワーク機器。
【請求項２５】
前記制御ＰＤＵフォーマットは前記ユーザ機器が受信に成功したＰＤＵの最大シーケンス番号、及び一つの誤って受信したＰＤＵのシーケンス番号範囲を含むことを特徴とする請求項２４に記載のネットワーク機器。
【請求項２６】
前記シーケンス番号範囲は上限シーケンス番号及び下限シーケンス番号を含み、前記ユーザ機器が受信に成功したＰＤＵの最大シーケンス番号は前記上限シーケンス番号に隣接する際に、前記制御ＰＤＵフォーマットは前記ユーザ機器が受信に成功したＰＤＵの最大シーケンス番号及び前記下限シーケンス番号を含むことを特徴とする請求項２５に記載のネットワーク機器。
【請求項２７】
前記制御ＰＤＵフォーマットは前記ユーザ機器が受信に成功したＰＤＵの最大シーケンス番号、及び複数の誤って受信したＰＤＵのシーケンス番号範囲を含むことを特徴とする請求項２４に記載のネットワーク機器。
【請求項２８】
前記制御ＰＤＵフォーマットは前記ユーザ機器が受信に成功したＰＤＵの最大シーケンス番号、及び誤って受信した各ＰＤＵのシーケンス番号を含むことを特徴とする請求項２４に記載のネットワーク機器。
【請求項２９】
ユーザ機器であって、プロセッサー、メモリ、トランシーバー及びバスを備え、
前記プロセッサーは前記バスによって前記メモリ及び前記トランシーバーに接続され、及び互いの間の通信を完成し、
前記メモリに実行可能プログラムコードが記憶され、前記プロセッサーは前記メモリにおける実行可能なプログラムコードを呼出し、請求項１〜９のいずれかに記載の方法を実行することに用いられることを特徴とするユーザ機器。
【請求項３０】
ネットワーク機器であって、プロセッサー、メモリ、トランシーバー及びバスを備え、
前記プロセッサーは前記バスによって前記メモリ及び前記トランシーバーに接続され、及び互いの間の通信を完成し、
前記メモリに実行可能プログラムコードが記憶され、前記プロセッサーは前記メモリにおける実行可能なプログラムコードを呼出し、請求項１０〜１４のいずれかに記載の方法を実行することに用いられることを特徴とするネットワーク機器。
【国際調査報告】
2020504972.tif 000019
2020504972.tif 000020
2020504972.tif 000021
2020504972.tif 000022
2020504972.tif 000023
2020504972.tif 000024